【事件の表示】
　特願２００８−２３１４００「情報処理装置およびユーザ認証方法」拒絶査定不服審判事件〔平成２２年　３月２５日出願公開、特開２０１０−　６６９２１〕について、次のとおり審決する。
【結　論】
　本件審判の請求は、成り立たない。
【理　由】
第１．手続の経緯
　本願は、平成２０年９月９日の出願であって、平成２４年１２月６日付けで拒絶理由通知がなされ、平成２５年２月１２日付けで手続補正がなされたが、同年２月２８日付けで拒絶査定がなされ、これに対し、同年５月２９日付けで拒絶査定不服審判の請求がされるとともに、同時に手続補正がなされたものである。
　
第２．平成２５年５月２９日付の手続補正についての補正却下の決定
　
［補正却下の決定の結論］
　　平成２５年５月２９日付の手続補正（以下、「本件補正」という。）を却下する。
　
［理由］
１．補正の目的
　本件補正は特許請求の範囲についてする補正を含み、平成２５年２月１２日付手続補正書の特許請求の範囲の補正前の請求項１を補正後の請求項１に、補正前の請求項６を補正後の請求項６に補正するものである。
　このうち、請求項１についてする補正は、
補正前の請求項１
　「【請求項１】
　タッチセンサ部を含む第一の筐体と、タッチスクリーンを含む第二の筐体とを備える情報処理装置であって、
　前記第一の筐体と前記第二の筐体とを折り畳んだ状態において、前記タッチセンサ部および前記タッチスクリーンが重なっている態様でユーザ認証を実施することを特徴とする情報処理装置。」
を、
補正後の請求項１
　「【請求項１】
　
透明な
ユーザ認証のための画像を表示可能な
　前記第一の筐体と前記第二の筐体とを折り畳んだ状態において、前記タッチセンサ部および前記タッチスクリーンが重なっている態様で、
前記タッチスクリーンに表示され前記タッチセンサ部を透過する前記ユーザ認証のための画像に対するユーザの操作を前記タッチセンサ部が受け付けることにより
とするものである（補正部分を下線で示す。）。
　
　その補正内容は、補正前の請求項１に記載のあった発明を特定するために必要な事項である「タッチセンサ部」を「透明なタッチセンサ部」と、「タッチスクリーン」を「ユーザ認証のための画像を表示可能なタッチスクリーン」と、「ユーザ認証を実施すること」を「前記タッチスクリーンに表示され前記タッチセンサ部を透過する前記ユーザ認証のための画像に対するユーザの操作を前記タッチセンサ部が受け付けることによりユーザ認証を実施すること」と、より下位の構成に限定したものであり、かつ、補正の前後において、請求項１の産業上の利用分野及び解決しようとする課題は同一であるから、特許法第１７条の２第５項第２号の特許請求の範囲の減縮を目的とするものに該当する。
　
２．独立特許要件（特許法第１７条の２第６項）について
　そこで、本件補正後の前記請求項１に記載された発明（以下、「本願補正発明」という。）が特許出願の際独立して特許を受けることができるものであるか（特許法第１７条の２第６項において準用する同法第１２６条第７項の規定に適合するか）について以下に検討する。
  
３．引用例等の記載、引用例１記載の発明
（引用例１）
　原査定の拒絶の理由に引用された、本願の出願日前に頒布された刊行物である、特開２００５−３１８０５号公報（以下、「引用例１」という。）には、図面と共に以下の記載がある。
　
ａ）「【００１０】
【発明の実施の形態】
以下、図面を参照しながらこの発明の電子機器をＰＤＡに適用した実施の形態について詳細に説明する。
図１、図２、および図３に示すように、
ＰＤＡは、偏平な矩形箱状の機器本体１と、機器本体に設けられた入力表示部３を備え
入力表示部３は、
表示装置およびペン入力可能な第１入力装置を備え、機器本体１の上面に露出して設けられ
また、ＰＤＡは、機器本体１の上面とほぼ同一の寸法に形成されたフィルム状の第２入力装置２を備え
【００１１】
第２入力装置２のいずれか一辺には、フレキシブルケーブル１１が接続されている。
第２入力装置２は、フレキシブルケーブル１１により、機器本体１に対して電気的に接続されているとともに、機器本体１の上面を覆う入力位置
と入力表示部３を露出する開放位置
との間を回動自在に支持されて
【００１２】
入力表示部３の外側において、機器本体１の上面には、切替え釦６、および、例えば電源釦やプログラムを切替えるプログラム釦として複数の操作釦７ａないし７ｄが配設されている。切替え釦６は、機器本体１表面より突出して配設され、操作釦７ａないし７ｄは、機器本体表面から突出せずに配設されている。また、機器本体１の上面には、第２入力装置２の開閉状態を検出する開閉検知センサ８が設けられている。
【００１３】
第２入力装置２は、第２位置検出部９
を有し
第２位置検出部９は、入力表示部３に対応した寸法に形成され、
第２入力装置２を入力位置に移動させた状態において、第２位置検出部９は入力表示部３と重なって位置し、
【００１４】
次に、図４、図５、および図６を参照して、入力表示部３を構成する第１入力装置および液晶表示装置５について説明する。
第１入力装置は、タッチパネルとして機能する第１位置検出部４を備え
　
ｂ）「【００１７】
図６に示すように、
表示装置としての液晶表示装置５
【００１８】
また、アレイ基板３１および対向基板３２の外面には必要に応じて偏光板が配置されている。以上のように構成された
第１位置検出部４および液晶表示装置５は、
接着剤により互いに接合され、入力表示部３が構成され
　
ｃ）「【００２２】
第２位置検出部９が入力位置に設けられ、この第２位置検出部によりデータ入力、
【００２３】
押圧された個所では、抵抗層５４ａと抵抗層５４ｂが接触し、導通する。導通状態となった個所は電圧が変化し、この電圧変化に基づいて導通過所の位置が検出される。そして、第２位置検出部９は、導通個所の位置を順次検出し、その検出位置に基づいて入力文字を検出する。
【００２４】
次に、機器本体１の内部構成を示し、第１位置検出部４および第２位置検出部９で検出された入力文字等を液晶表示装置５の表示画面に表示するまでのシステムを説明する。図８に示すように、機器本体１は、制御部６１、電力供給部６２、検知部６３、Ａ／Ｄコンバータ６４、Ａ／Ｄコンバータ６５、Ｄ／Ａコンバータ６６、および記憶部６７を有している。
【００２５】
制御部６１には、電力供給部６２より電力が供給される。検知部６３は第１位置検出部４および第２位置検出部９のいずれを動作させるかの情報を検知する。制御部６１は、検知部６３からの検知信号に基づいて第１位置検出部４および第２位置検出部９のいずれか一方を動作させる。そして、第１位置検出部４および第２位置検出部９のいずれか一方の位置検出部は、ペン入力された入力情報を検出し、その検出位置に基づいて入力文字等を検出する。
【００２６】
検出信号は、Ａ／Ｄコンバータ６４またはＡ／Ｄコンバータ６５によるディジタル変換を行った後、制御部６１に伝送される。ここで、第２位置検出部９で検出された位置を示す信号は上述したフレキシブルケーブル１１を介して制御部６１に伝送される。そして、制御部６１に伝送された位置を示す信号は、Ｄ／Ａコンバータ６６を介して液晶表示装置５へ伝送される。記憶部６７には、液晶表示装置５の表示画面に表示させるウインドーの情報等が格納されている。文字入力等の際、表示画面には、記憶部６７により入力場面のウインドーが表示される。これにより、第１位置検出部４および第２位置検出部９のいずれか一方で検出された入力文字等は、液晶表示装置５の表示画面に表示される。」（【００２２】〜【００２６】の記載。）
　
ｄ）「【００３１】
以上のように構成された、ＰＤＡは、第１入力装置と、第２入力装置２の２つの入力装置を有している。入力位置に設けられた第２入力装置２の第２位置検出部９は露出しているため、この第２位置検出部の上面から直接スタイラスペン１２を用いた文字等を入力することができる。そのため、第２入力装置２は入力された入力文字等を検出できる。
【００３２】
例えば、液晶表示装置５の表示画面に表示されるアルファベットやひらがなをスタイラスペン１２を用いて選択する場合、表示画面にアルファベットやひらがな等の文字を大きくして表示
入力したい文字を選択する際、表示画面に表示される文字に重なった第２位置検出部９をペンで押圧して、入力文字を選択
【００３３】
日本語の漢字変換や他の言語で
画数が多い文字をペン入力する際も、入力場面のウインドーを表示画面に拡大して表示し、入力場面のウインドーに重なった第２位置検出部９に入力することができ
　
（引用例１記載の発明）
　してみると、引用例１には次の発明（以下、「引用例１記載の発明」という。）が記載されている。
　「ＰＤＡは、偏平な矩形箱状の機器本体１と、機器本体に設けられた入力表示部３を備え、
　入力表示部３は、表示装置およびペン入力可能な第１入力装置を備え、機器本体１の上面に露出して設けられ、
　また、ＰＤＡは、機器本体１の上面とほぼ同一の寸法に形成されたフィルム状の第２入力装置２（図１〜３，図７）を備え、
　第２入力装置２は、フレキシブルケーブル１１により、機器本体１に対して電気的に接続されているとともに、機器本体１の上面を覆う入力位置と入力表示部３を露出する開放位置との間を回動自在に支持されており（図２）、
　第２入力装置２は、第２位置検出部９（図７）を有し、
　第２位置検出部９は、入力表示部３に対応した寸法に形成され、第２入力装置２を入力位置に移動させた状態において、第２位置検出部９は入力表示部３と重なって位置し（図１）、
　第１入力装置は、タッチパネルとして機能する第１位置検出部４を備え、
　表示装置は液晶表示装置５であり、
　第１位置検出部４および液晶表示装置５は、接着剤により互いに接合され、入力表示部３が構成され、
　第２位置検出部９が入力位置に設けられ、この第２位置検出部によりデータ入力、
　例えば、液晶表示装置５の表示画面に表示されるアルファベットやひらがなをスタイラスペン１２を用いて選択する場合、表示画面にアルファベットやひらがな等の文字を大きくして表示し、
　入力したい文字を選択する際、表示画面に表示される文字に重なった第２位置検出部９をペンで押圧して、入力文字を選択し、画数が多い文字をペン入力する際も、入力場面のウインドーを表示画面に拡大して表示し、入力場面のウインドーに重なった第２位置検出部９に入力することができる、
ＰＤＡ。」
　
（周知例１）
　原査定の拒絶の理由に引用された、本願の出願日前に頒布された刊行物である、特開２００８−９２０８１号公報（以下、「周知例１」という。）には、図面と共に以下の記載がある。
　
ｅ）「【００２５】
  
主筐体部５のキー配置面５ａに副筐体部７を重合させた状態で外部に露出する
面には、
サブディスプレイ１４および
タッチセンサ１６が配置され、また、主筐体部５の側面には、携帯電話１を収納状態とした状況下において限られた範囲の操作を実現するためのサイドスイッチ１７が設けられている。
サブディスプレイ１４とタッチセンサ１６に代えて、このような一体型のタッチセンサ付きディスプレイを利用してもよい。
　
ｆ）「【００４７】
  そして、改めて携帯電話１を開く必要が生じた場合には、ユーザはサイドスイッチ１７を操作し、ＣＰＵにロック解除モードの処理を開始させる（ステップａ１１）。
【００４８】
  ロック解除モードの処理を開始したＣＰＵは、
サブディスプレイ１４に「ロック時に使用したものと同じ図形又は文字を入力して下さい」等のガイダンスメッセージを表示
【００４９】
  そして、この
ガイダンスメッセージを参照したユーザがタッチセンサ１６をなぞるようにして図形又は文字等の手書き入力を実行
バッファに一時記憶
一時記憶された筆跡とデータメモリ部２４に記憶されている正当なユーザの筆跡との一致不一致を判定
【００５０】
  そして、
両者が一致した場合に限り、
主筐体部５に対する副筐体部７の固定状態を解除
　
（周知例２）
　本願の出願日前に頒布された刊行物である、特開平１０−３１２２２３号公報（以下、「周知例２」という。）には、図面と共に以下の記載がある。
　
ｇ）「【００１７】図４は、本発明のパスワード入力手段を備えた情報処理装置の一例として、ＬＣＤを有するノート型パソコンの外観斜視図である。同図において、まず、ＬＣＤを閉じた際にＬＣＤ開閉ロックをロック部３で行う。ＬＣＤを開くときには
ＬＣＤ開閉スイッチ２を押すことによりパスワード表示インジケータ６に、パスワード入力要求が表示
【００１８】
パスワード入力専用キー５により、パスワードの入力を行い、パスワードＯＫであれば、ロック部３がＬＣＤの開閉ロックを解除し、ＬＣＤが開けられるようになる
　
４．対比、一致点、相違点
　そこで、本願補正発明と引用例１記載の発明とを対比する。
　
あ）「透明なタッチセンサ部を含む第一の筐体と、ユーザ認証のための画像を表示可能なタッチスクリーンを含む第二の筐体とを備える情報処理機器であって、」について
　
〈透明なタッチセンサ部を含む第一の筐体〉について
　引用例１記載の発明の「第２入力装置２」（図３）は、「上面をスタイラスペン１２を用いて押圧しながら文字を書き込」まれる「第２位置検出部９」（図７）を有するものであるところ、その「第２位置検出部９」は、「入力位置に移動させた状態において」「入力表示部３と重なって位置」し、「入力表示部３」は「第１位置検出部４および液晶表示装置５」で構成されたものであり、「例えば、液晶表示装置５の表示画面に表示されるアルファベットやひらがなをスタイラスペン１２を用いて選択する場合、表示画面にアルファベットやひらがな等の文字を大きくして表示し、入力したい文字を選択する際、表示画面に表示される文字に重なった第２位置検出部９をペンで押圧して、入力文字を選択」するものであるから、「第２位置検出部９」が透明であることは明らかである。
　すなわち、引用例１記載の発明の、透明な「第２位置検出部９」（図７）は、本願補正発明の「透明なタッチセンサ部」ということができきる。
　そして、「第２入力装置２」（図１〜３）は、フィルム状とはいえ所与の形態を有しているといえ、「第２位置検出部９」を含む「筐体」といっても特段差し支えなく、本願補正発明でいう「透明なタッチセンサ部を含む第一の筐体」ともいい得るものである。
　
〈ユーザ認証のための画像を表示可能なタッチスクリーンを含む第二の筐体〉について
　引用例１記載の発明の「機器本体１」は「入力表示部３」が設けられており、「入力表示部３」は「表示装置およびペン入力可能な第１入力装置を備え、」「第１入力装置は、タッチパネルとして機能する第１位置検出部４を備え」たものである。
　そして、「表示装置」が画像を表示可能であることは明らかである。
　したがって、引用例１記載の発明の「入力表示部３」は「画像を表示可能なタッチスクリーン」ということができ、その「入力表示部３」が設けられた「機器本体１」は、本願補正発明でいう「画像を表示可能なタッチスクリーンを含む第二の筐体」といい得るものである。
　
〈まとめ〉
　そして、引用例１記載の発明の「ＰＤＡ」は「情報処理装置」といえ、「機器本体１」と「第２入力装置２」（図３）を備えるから、
　結局、本願補正発明と引用例１記載の発明とは、
「透明なタッチセンサ部を含む第一の筐体と、画像を表示可能なタッチスクリーンを含む第二の筐体とを備える情報処理機器であって、」で一致する。
　もっとも、本願補正発明では、タッチスクリーンに「画像を表示可能」とするその「画像」が「ユーザ認証のための画像」とするのに対し、
　引用例１記載の発明では、そのようなものとはしていない点で相違する。
　
い）「前記第一の筐体と前記第二の筐体とを折り畳んだ状態において、前記タッチセンサ部および前記タッチスクリーンが重なっている態様で、」について
　
　引用例１記載の発明の「第２入力装置２は、フレキシブルケーブル１１により、機器本体１に対して電気的に接続されているとともに、機器本体１の上面を覆う入力位置と入力表示部３を露出する開放位置との間を回動自在に支持」されており、「第２入力装置２を入力位置に移動させた状態において、第２位置検出部９は入力表示部３と重なって位置」している状態は、
　本願補正発明の「前記第一の筐体と前記第二の筐体とを折り畳んだ状態において、前記タッチセンサ部および前記タッチスクリーンが重なっている態様」といえ、この点相違しない。
　
う）「前記タッチスクリーンに表示され前記タッチセンサ部を透過する前記ユーザ認証のための画像に対するユーザの操作を前記タッチセンサ部が受け付けることによりユーザ認証を実施すること」について
　
　引用例１記載の発明は「液晶表示装置５の表示画面に表示されるアルファベットやひらがなをスタイラスペン１２を用いて選択する場合、表示画面にアルファベットやひらがな等の文字を大きくして表示し、
　入力したい文字を選択する際、表示画面に表示される文字に重なった第２位置検出部９をペンで押圧して、入力文字を選択」ものであるから、
　引用例１記載の発明は「液晶表示装置５」に表示され「第２位置検出部９」を透過する「アルファベットやひらがな等の文字」の画像に対するユーザの操作を「第２位置検出部９」が受け付けているといえ、
　本願補正発明でいう「タッチスクリーンに表示され前記タッチセンサ部を透過する前記画像に対するユーザの操作を前記タッチセンサ部が受け付けること」がなされているということができる。
　もっとも、引用例１記載の発明では、「前記画像」が上記のとおり「前記ユーザ認証のための画像」とはしておらず、また、そのように（前記画像に対するユーザの操作を前記タッチセンサ部が）受け付けること「によりユーザ認証を実施する」、とはしておらず、この点、本願補正発明と相違する。
　
え）一致点、相違点
　以上の対比結果によれば、本願補正発明と引用例１記載の発明とは、
　
（一致点）
「透明なタッチセンサ部を含む第一の筐体と、
画像
　前記第一の筐体と前記第二の筐体とを折り畳んだ状態において、前記タッチセンサ部および前記タッチスクリーンが重なっている態様で、前記タッチスクリーンに表示され前記タッチセンサ部を透過する
前記画像
受け付けること
　の点で一致し、次の点で相違する。
　
（相違点）
　タッチスクリーンに「画像を表示可能」とするその「
画像
前記画像
　本願補正発明は、「ユーザ認証のための画像」であるのに対して、
　引用例１記載の発明では、「アルファベットやひらがな等の文字」の画像であって、「ユーザ認証のための画像」とはしておらず、
　本願補正発明では、「（前記画像に対するユーザの操作を前記タッチセンサ部が）
受け付けること
　引用例１記載の発明では、そのように「
受け付けること
　
４．判断
（相違点）について
　情報処理装置において、セキュリティを向上させることは、広く知られた課題であり、そのためにユーザ認証を行うことは、本願出願前、普通に行われていることに過ぎないものであることからすれば、引用例１記載の発明の情報処理装置（ＰＤＡ）にも、ユーザ認証を行う動機付けがあるといえるところ、
　例えば、上記周知例１，２にみられるように、情報処理機器を閉じた状態においても、ユーザ認証のための表示を行い、ユーザの操作を受け付けユーザ認証を実施することは、本願出願前に周知の技術である。
　そうすると、閉じた状態においてでも入力操作を受け付けることができる引用例１に接した当業者であれば、引用例１記載の発明においても、上記周知技術を適用することを容易に想起するというべきである。
　そして、そのように適用するとき、引用例１記載の発明の入力表示部３を構成する液晶表示装置５に表示される画像を「ユーザ認証のための画像」として、ユーザの操作を「ユーザ認証のための画像」に対するものとしてユーザ認証を実施することは、ごく自然である。
　したがって、引用例１記載の発明を出発点とし、その液晶表示装置５に表示される画像を「ユーザ認証のための画像」として、ユーザの操作を「ユーザ認証のための画像」に対するものとし、そのようなユーザ操作を受け付けることによりユーザ認証を実施することとして、本願補正発明に至ることは、当業者が容易に想到し得たものというべきである。
　
　そして効果についてみても、引用例１記載の発明に対する上記周知技術の採用に伴って予測し得ない格別顕著なものが本願補正発明にあるとも認められない。
　
（予備的検討）
　上記検討では、引用例１記載の発明の「第２入力装置２」（図３）が「筐体」といい得るものとしたが、仮にこれが「筐体」とはいえないとしても（このとき、本願補正発明と引用例１記載の発明の新たな相違点となる）、「第２入力装置２」（図３）を「筐体」とすることは、当業者が容易に想到し得ることといえ、したがって、容易想到であるとした上記結論にかわりはない。
　
　以上のとおり、本願補正発明は、引用例１記載の発明及び上記周知技術に基づいて、当業者が容易に発明をすることができたものであるから、特許法第２９条第２項の規定により特許出願の際独立して特許を受けることができないものである。
　
５．むすび
　以上のとおり、本件補正は、特許法第１７条の２第６項において準用する同法第１２６条第７項の規定に違反するので、同法第１５９条第１項の規定において読み替えて準用する同法第５３条第１項の規定により却下すべきものである。
　
第３．本願発明について
１．本願発明
　平成２５年５月２９日付の手続補正は上記のとおり却下されたので、本願の請求項１に係る発明（以下、「本願発明」という。）は、平成２５年２月１２日付手続補正書の特許請求の範囲の請求項１に記載された事項により特定される、以下のとおりのものである。、
　「【請求項１】
　タッチセンサ部を含む第一の筐体と、タッチスクリーンを含む第二の筐体とを備える情
報処理装置であって、
　前記第一の筐体と前記第二の筐体とを折り畳んだ状態において、前記タッチセンサ部お
よび前記タッチスクリーンが重なっている態様でユーザ認証を実施することを特徴とする
情報処理装置。」
　
２．引用例等の記載、引用例１記載の発明
　原査定の拒絶の理由に引用された、引用例１及び周知例１，２は、上記「第２．」の「２．引用例等の記載、引用例１記載の発明」に記載したとおりである。
　
３．対比・判断
　本願発明は、前記「第２．」で検討した本願補正発明から、「タッチセンサ部」が「透明」であるとする限定を省き、「タッチスクリーン」が「ユーザ認証のための画像を表示可能」であるとする限定を省き、「ユーザ認証」の実施を「前記タッチスクリーンに表示され前記タッチセンサ部を透過する前記ユーザ認証のための画像に対するユーザの操作を前記タッチセンサ部が受け付けることにより」実施するという限定を省くものである。
　そうすると、本願発明の構成要件をすべて含み、さらに他の構成要件を付加したものに相当する本願補正発明が、前記「第２．」「４．判断」に記載したとおり、引用例１記載の発明及び上記周知技術に基づいて、当業者が容易に発明をすることができたものであるから、本願発明も同様の理由により、引用例１記載の発明及び上記周知技術に基づいて、当業者が容易に発明をすることができたものである。
　
４．むすび
　以上のとおり、本願の請求項１に係る発明は、引用例１に記載された発明及び上記周知技術に基づいて、当業者が容易に発明をすることができたものであるから、特許法第２９条第２項の規定により特許を受けることができない。
　したがって、本願は、他の請求項について検討するまでもなく、拒絶されるべきものである。
　よって、結論のとおり審決する。